(57)【要約】【課題】流体貯留要素および流体貯留要素と流体連通状態にある少なくとも１つの流体移送要素を有する膣内器具を提供する。【解決手段】少なくとも１つの流体移送要素は、第１のプレートおよび第１のプレートに結合された第２のプレートを有する。第２のプレートは、第１のプレートの内方へ差し向けられた表面と向かい合った関係に配置されると共に保持された第１の表面と、これと反対側の表面とを有する。第２のプレートは、プレート間毛管作用をもたらすのに十分、第１のプレートから離れることができる。少なくとも１つの流体移送要素は、流体貯留要素の長手方向軸線に実質的に平行な軸線回りに曲げ可能である。本発明はまた、膣内器具の製造に有用な方法および装置を含む。【選択図】図１１
2007537018.tif 000002
【特許請求の範囲】
【請求項１】
哺乳動物の体の中で使用される流体管理器具において、
少なくとも１つの流体移送要素であって、前記少なくとも１つの流体移送要素と流体連通状態にある流体貯留要素に実質的に連続する流体導管を提供するよう体要素とインターフェイスを取ることができる、前記少なくとも１つの流体移送要素、
を具備し、
前記流体移送要素は、外方へ差し向けられた表面および内方へ差し向けられた表面を有する少なくともシート状の第１のプレートを備え、
前記少なくとも１つの流体移送要素の遠位部分は、前記流体貯留要素から遠ざかって延びることができる、
流体管理器具。
【請求項２】
請求項１記載の流体管理器具において、
前記流体移送要素は、不織布を含む、流体管理器具。
【請求項３】
膣内器具において、
ａ．長手方向軸線、挿入側端部、および取出し側端部、を備えた流体貯留要素と、
ｂ．前記流体貯留要素と流体連通状態にある少なくとも１つの流体移送要素であって、
ｉ．外方へ差し向けられた表面および内方へ差し向けられた表面を備える第１のプレート、ならびに、
ｉｉ．前記第１のプレートに結合された第２のプレートであって、前記第１のプレートの内方へ差し向けられた表面と向かい合った関係に配置されると共に保持された第１の表面、および反対側の表面を有し、プレート間毛管作用をもたらすのに十分に前記第１のプレートから離れることができる、前記第２のプレート、
を備える、前記少なくとも１つの流体移送要素と、
を具備し、
前記第１のプレートおよび前記第２のプレートのうちの少なくとも一方は、シート状材料を含み、
前記少なくとも１つの流体移送要素は、前記流体貯留要素の前記長手方向軸線に実質的に平行な軸線回りに曲げ可能であり、
前記流体移送要素は、前記流体貯留要素の前記取出し側端部に取り付けられている、
膣内器具。
【請求項４】
請求項３記載の膣内器具において、
前記流体移送要素は、前記流体貯留要素のベースに取り付けられている、膣内器具。
【請求項５】
請求項３記載の膣内器具であって、
前記流体移送要素は、不織布を含む、膣内器具。
【請求項６】
膣内器具において、
ａ．長手方向軸線、挿入側端部、取出し側端部、および前記挿入側端部と前記取出し側端部との間に位置する少なくとも１つの長手方向側部、を備えた流体貯留要素と、
ｂ．前記流体貯留要素と流体連通状態にある少なくとも１つの流体移送要素であって、
ｉ．外方へ差し向けられた表面および内方へ差し向けられた表面を備える第１のプレート、ならびに、
ｉｉ．前記第１のプレートに結合された第２のプレートであって、前記第１のプレートの内方へ差し向けられた表面と向かい合った関係に配置されると共に保持された第１の表面、および反対側の表面を有し、プレート間毛管作用をもたらすのに十分に前記第１のプレートから離れることができる、前記第２のプレート、
を備える、前記少なくとも１つの流体移送要素と、
を具備し、
前記第１のプレートおよび前記第２のプレートのうちの少なくとも一方は、不織布を含み、
前記少なくとも１つの流体移送要素は、前記流体貯留要素の前記長手方向軸線に実質的に平行な軸線回りに曲げ可能であり、
前記流体移送要素は、前記流体貯留要素の前記少なくとも１つの長手方向側部に取り付けられている、
膣内器具。
【請求項７】
請求項６記載の膣内器具において、
前記流体移送要素は、前記流体貯留要素の前記取出し側端部に取り付けられている、膣内器具。
【請求項８】
膣内器具において、
ａ．長手方向軸線、挿入側端部、取出し側端部、および前記挿入側端部と前記取出し側端部との間に位置する少なくとも１つの長手方向側部、を備えた流体貯留要素と、
ｂ．前記流体貯留要素と流体連通状態にある少なくとも１つの流体移送要素であって、
ｉ．外方へ差し向けられた表面および内方へ差し向けられた表面を備える第１のプレート、ならびに、
ｉｉ．前記第１のプレートに結合された第２のプレートであって、前記第１のプレートの内方へ差し向けられた表面と向かい合った関係に配置されると共に保持された第１の表面、および反対側の表面を有し、プレート間毛管作用をもたらすのに十分に前記第１のプレートから離れることができる、前記第２のプレート、
を備える、前記少なくとも１つの流体移送要素と、
を具備し、
前記第１のプレートおよび前記第２のプレートのうちの少なくとも一方は、不織布を含み、
前記少なくとも１つの流体移送要素は、前記流体貯留要素の前記長手方向軸線に実質的に平行な軸線回りに曲げ可能であり、
前記流体移送要素は、前記流体貯留要素の前記取出し側端部の近くで前記流体移送要素自体に取り付けられている、
膣内器具。
【請求項９】
請求項８記載の膣内器具において、
前記流体移送要素は、前記流体貯留要素の前記取出し側端部に取り付けられている、膣内器具。
【請求項１０】
膣内器具において、
ａ．長手方向軸線、挿入側端部、取出し側端部、および前記挿入側端部と前記取出し側端部との間に位置する少なくとも１つの長手方向側部、を備えた流体貯留要素と、
ｂ．前記流体貯留要素と流体連通状態にある少なくとも１つの流体移送要素であって、
ｉ．外方へ差し向けられた表面および内方へ差し向けられた表面を備える第１のプレート、ならびに、
ｉｉ．前記第１のプレートに結合された第２のプレートであって、前記第１のプレートの内方へ差し向けられた表面と向かい合った関係に配置されると共に保持された第１の表面、および反対側の表面を有し、プレート間毛管作用をもたらすのに十分に前記第１のプレートから離れることができる、前記第２のプレート、
を備える、前記少なくとも１つの流体移送要素と、
を具備し、
前記第１のプレートおよび前記第２のプレートのうちの少なくとも一方は、不織布を含み、
前記少なくとも１つの流体移送要素は、前記流体貯留要素の前記長手方向軸線に実質的に平行な軸線回りに曲げ可能であり、
前記流体移送要素は、前記流体貯留要素を実質的に包囲するよう取出しひもに取り付けられている、
膣内器具。
【請求項１１】
請求項１０記載の膣内器具において、
前記流体移送要素は、前記流体貯留要素の前記取出し側端部に取り付けられている、膣内器具。
【請求項１２】
膣内器具の製造方法において、
ａ．体内流体を動かすのに有用な性質を備えた不織布の個々のシートを用意するステップと、
ｂ．前記個々のシートを長手方向軸線を備えた流体貯留要素に取り付けて、前記流体貯留要素から半径方向に遠ざかって延びることができる少なくとも１つの流体移送要素を形成するステップと、
ｃ．前記少なくとも１つの流体移送要素を前記流体貯留要素の長手方向軸線に平行な軸線の周りに折り畳むステップと、
ｄ．結果的に得られた膣内器具を包装するステップと、
を含む、製造方法。
【請求項１３】
膣内器具の製造方法において、
ａ．体内流体を動かすのに有用な性質を備えた不織布の供給源から個々のシートを分離するステップと、
ｂ．長手方向軸線、長手方向側部、挿入側端部、および取出し側端部、を備えた流体貯留要素を準備するステップと、
ｃ．前記個々のシートを前記流体貯留要素の前記挿入側端部および成形ブレードのひだ付け縁部に係合させるステップと、
ｄ．前記流体貯留要素および前記成形ブレードの前記ひだ付け縁部に対して成形ツールを相対移動させて、前記個々のシートを前記成形ツール中へ押し込むステップと、
ｅ．前記個々のシートの少なくとも一部を前記流体貯留要素に結合して、前記個々のシートの少なくとも一部を前記流体貯留要素から半径方向に遠ざかって延びることができる少なくとも１つの流体移送要素の状態に成形するステップと、
ｆ．前記少なくとも１つの流体移送要素を前記流体貯留要素の長手方向軸線に平行な軸線の周りに折り畳むステップと、
ｇ．結果的に得られた膣内器具を包装するステップと、
を含む、製造方法。
【請求項１４】
膣内器具を製造する装置において、
ａ．成形ツールであって、
ｉ．保持プレートであって、前記保持プレートの面に形成された複数個の真空ポートを有する、前記保持プレート、および、
ｉｉ．前記プレートに設けられた実質的に円形の孔であって、前記孔に連結されると共に前記孔から延びる複数個のスロットを有する、孔、
を備える、前記成形ツールと、
ｂ．複数個の成形ブレードを含む雄型ツールであって、各前記成形ブレードが孔の周りに放射状に配置された案内縁部を有する、前記雄型ツールと、
ｃ．前記成形ツールの前記孔に向かって動くことができる少なくとも１つの結合要素と、
ｄ．前記成形ツールおよび前記雄型ツールの各々の前記孔を通って動くことができる少なくとも１本のプッシュロッドと、
を具備し、
前記成形ツールの前記孔と前記雄型ツールの前記孔は、前記プッシュロッドが流体貯留要素を各孔を通して動かすことができるように、縦方向軸線に沿って位置合わせされ、
前記雄型ツールの前記成形ブレードは、前記成形ツールの前記スロットと位置合わせされ、
前記成形ブレードの前記案内縁部は、前記雄型ツールの前記孔と位置合わせされた流体貯留要素を受け入れるように配置されると共に構成されている、
装置。
【請求項１５】
請求項１４記載の装置において、
各成形ブレードは、前記保持プレートの前記面上に保持されたシートに係合可能なひだ付け縁部を有する、装置。
【請求項１６】
請求項１５記載の装置において、
前記ひだ付け縁部は、前記案内縁部に隣接している、装置。
【請求項１７】
請求項１５記載の装置において、
前記ひだ付け縁部は、前記成形ブレードの少なくとも１つの中間部分によって前記案内縁部から分離されている、装置。
【請求項１８】
請求項１４記載の装置において、
前記少なくとも１つの結合要素は、前記保持プレートの前記面に平行な平面内で動くことができる、装置。
【請求項１９】
請求項１８記載の装置において、
前記少なくとも１つの結合要素は、前記成形ツールおよび前記雄型ツールが係合位置にあるとき、隣り合う成形ブレード相互間の空間内に延びるよう動くことができる、装置。
【請求項２０】
請求項１４記載の装置において、
前記少なくとも１つの結合要素は、熱結合要素（thermobonding element）である、装置。
【請求項２１】
請求項１４記載の装置において、
前記流体貯留要素は、長さを有し、
各成形ブレードの前記案内縁部は、前記流体貯留要素の前記長さ以下の長さを有する、
装置。
【請求項２２】
請求項１４記載の装置において、
前記流体貯留要素は、長さを有し、
各成形ブレードの前記案内縁部は、前記流体貯留要素の前記長さよりも大きな長さを有する、
装置。
【発明の詳細な説明】
【開示の内容】
【０００１】
〔関連出願の参照〕
本発明は、本願と同日に出願された次の発明の名称の同時係属出願、即ち、「流体獲得プレートを備えた膣内器具および作成方法（“Intravaginal Device with Fluid Acquisition Plates and Method of Making”）」（米国特許出願第６０／５７２，０５５号、代理人事件番号ＰＰＣ−５０７２）、「流体獲得プレートを備えた膣内器具（“Intravaginal Device with Fluid Acquisiton Plates”）」（米国特許出願第１０／８４７，９５２号、代理人事件番号ＰＰＣ−５０７０）、「身体内での使用のための流体移送要素を備えた流体管理器具（“Fluid Management Device with Fluid Transport Element for use within a Body”）」（米国特許出願第１０／８４７，９５１号、代理人事件番号ＰＰＣ−５０７１  Ｇ−２ａ）、「流体管理プレートを備えた膣内器具の使用方法（“Method of Using Intravaginal Device with Fluid Transport Plates”）」（米国特許出願第１０／８４８，３４７号、代理人事件番号ＰＰＣ−５０７６）、「可塑性パネルを備えたタンポン（“Tampon with Flexible Panels”）」（米国特許出願第１０／８４８，２５７号、代理人事件番号ＰＰＣ−５０７４）、および「流体移送プレートを備えた膣内器具の使用方法（“Method of Using an Intravaginal Device with Fluid Transport Plates”）」（米国特許出願第１０／８４８，２０８号、代理人事件番号ＰＰＣ−５０７５）に関連しており、これら米国特許出願の各々を参照により、その記載内容を本明細書に組み入れる。
【０００２】
〔発明の分野〕
本発明は、体内流体を膣内的に捕捉して貯留する器具に関する。特に、本発明は、体内流体を流体移送要素を介して膣内的に捕捉し、体内流体を体内流体が貯留される流体貯留要素まで移送する方法に関する。加うるに、本願は、かかる器具の製造方法に関する。
【０００３】
〔発明の背景〕
体内流体を膣内的に捕捉して貯留する器具が、市販されており、文献公知となっている。膣内タンポンは、かかる器具の最も一般的な例である。市販のタンポンは吸収性または非吸収性カバー層で包まれている場合のある吸収性繊維でできた全体的に圧縮状態の円筒形塊である。
【０００４】
タンポンは、人体の膣内に挿入され、膣中の体内流体、最も一般的には経血を捕捉して貯留する目的で、或る期間膣内に保持される。膣中の体内流体がタンポンに接触すると、体内流体は、タンポンの吸収材料により吸収されて保持されるべきである。時間が経つと、タンポンおよびその保持体内流体を取り出して処分し、必要ならば別のタンポンを挿入する。
【０００５】
市販のタンポンにしばしば見られる欠点は、時期尚早な失敗が生じる傾向があることであり、かかる失敗は、タンポンが定位置にある間、タンポンが体内流体で完全に飽和状態になる前に、体内流体が膣から漏れることとして定義できる。先行技術は典型的には、非膨張状態の圧縮されたタンポンが体内流体を即座には吸収することはできないと考えられる問題を記載している。したがって、時期尚早な漏れは、体内流体が圧縮状態のタンポンの一部に接触し、流体がすぐには吸収されない場合に生じると考えられる。体内流体は、タンポンをバイパスする場合がある。
【０００６】
この時期尚早な漏れの問題を解決するため、余分な要素を基本タンポンに設けて流体の流れを吸収性コアに差し向けると共に流体の流れを制御することが試された。
【０００７】
例えば、米国特許第４，２１２，３０１号（ジョンソン（Johnson））は、中央の剛性化された細長いコアとなる剛性の棒状要素を形成するよう好ましくは半径方向に圧縮された下方部分および実質的に非圧縮状態のままの上方部分を備えた一体構造の指利用型タンポンを開示している。挿入後、非圧縮状態の部分を操作して膣壁に接触させて側からの漏れを止める即時シールを形成するのがよい。非圧縮状態の部分は、挿入時に速やかに高吸収性能を発揮することができる。このタンポンは、バイパス漏れに対して或る程度の防護を計算に入れることができるが、非圧縮状態の部分は、圧縮状態の部分が膨張して吸収状態になる前に飽和状態になる場合がある。
【０００８】
米国特許第６，３５８，２３５号明細書（オズボーン等（Osborn et al.））は、非常に圧縮した状態の吸収材料で作られた内部突起を備える場合のある「中空」袋状タンポンを開示している。内部突起は好ましくは、タンポンのヘッドの内面に取り付けられる。中空タンポン部分は、吸収性外面に設けられた少なくとも１つのひだを有するのがよく、この中空タンポン部分は、柔らかくかつコンフォーマブルである。タンポンは、繊維が一時的に「固まる」程度まではあらかじめ圧縮されず、流体の吸収時に再び膨張する。タンポンの吸収部分は、局所的に飽和する場合があり、それにより、バイパス漏れが生じる。
【０００９】
米国特許第６，１７７，６０８号明細書（ウェインストローチ（Weinstrauch））は、膣腔内に存在すると考えられる自由空間を信頼性をもって閉じるようタンポン表面から外方に広がることができる不織バリヤストリップを備えたタンポンを開示している。不織バリヤストリップは、表面のところで円周方向にタンポン周りに延びまたはタンポン周りに螺旋形態で延び、その意図するところに従って、経血をタンポン表面に向かって導く。不織バリヤストリップを、接着、ヒートシール、ニードルパンチ法、エンボス加工等によってカバーに取り付け、この不織バリヤストリップは、ひだを形成する。不織バリヤストリップをタンポンブランクに取り付け、ブランクをエンボス加工し、長手方向に延びる溝を形成する。このタンポンは、流体をコアに差し向けることを意図しているが、タンポンは、吸収不織布のポケットを形成することによりこれを達成しようとしている。機能を発揮させるためには、これらポケットを使用中開いて流体が流入することができるようにしなければならないように思われる。しかしながら、膣圧に関する現在の理解に基づけば、説明した構造がかかる開かれた容積部をどのように形成できるかについては理解されていない。
【００１０】
米国特許第６，２０６，８６７号明細書（オズボーン）は、望ましいタンポンが配備時に速やかに膣内部の大部分を覆うよう乾式膨張する少なくとも一部を有することを示唆している。この要望に取り組むため、この米国特許は、圧縮状態の中央吸収性コアを備えたタンポンを開示しており、このコアは、コアの側面の一部に沿って取り付けられた少なくとも１つの柔軟性パネルを有する。この柔軟性パネルは、「乾式膨張」機能をもたらすように思われ、このパネルは、取付け箇所から遠ざかってコアから外方へ延びている。柔軟性パネルは、タンポンが定位置にあるときに膣の内面に接触し、その意図するところに従って、流体を吸収性コアの方へ差し向ける。柔軟性パネルは典型的には、吸収性コアを形成するよう綿撒糸の圧縮に先立って、綿撒糸に取り付けられ、このパネルは、非圧縮状態のままである。
【００１１】
米国特許第５，８１７，０７７号明細書（フォーリー等（Foley et al.））は、タンポンが外面に約４０ｍｍＨｇ以下の初期毛管吸引力を有する場合、タンポンを用いながら膣上皮組織の自然な湿り気を保つ方法を開示している。これにより、タンポンは、実質的に膣上皮組織を乾燥させないで膣内分泌物を吸収することができる。多数のカバー層を用いると、カバー材料の厚さを増大させることができる。これは、当該技術分野における飛躍的な技術的進歩であるが、この発明は、バイパス漏れに取り組んでいない。
【００１２】
加うるに、米国特許第５，５４５，１５５号明細書（セイ等（Hseih et al.））は、スペーサ要素により分離された１組のプレートを有する外部吸収物品を開示している。プレートは、流体が容易に表面を横切って流れるように湿潤性に影響を及ぼすよう処理されている場合がある。複数個の開口部が、上方プレートを貫通しており、これら開口部により、流体は、制限がほとんど無い状態で上方プレートと下方プレートとの間の空間内へ流れることができる。流体が上方プレートから下方プレートへＺ方向に下方に流れると、この流体は次に、Ｘ方向およびＹ方向に横方向に流れることになる。したがって、この外部吸収物品は、噴出流体を収容することができるが、これは、特に膣内器具、例えばタンポンに関連した問題に取り組んでいるようには思われない。
【００１３】
先行技術は、体内流体を外部と膣内の両方で捕捉する衛生用保護物品の例で満ちているが、これら例は、一般に内部衛生用保護器具を用いている間に生じるバイパス漏れと呼ばれる場合の多い時期尚早な失敗の問題を解決していない。この問題に対する多くの解決策では、非常に圧縮された状態の吸収性物品の膨張速度を増大することが行われている。
【００１４】
〔発明の概要〕
驚くべきこととして、本発明者は、時期尚早な製品の失敗の問題を解決する新規な技術を見出した。本発明は、圧縮吸収材の膨張を利用せず、膣に適合可能な要素の組込みを利用している。本発明では、本発明者は、吸収器具の接触面積を増大させ、それによりバイパス漏れを減少させる。
【００１５】
本発明の一特徴では、膣内器具は、流体貯留要素と、外方へ差し向けられた表面および内方へ差し向けられた表面を備える第１のプレートを有する流体移送要素と、第１のプレートの内方へ差し向けられた表面と向かい合った関係に配置された第１の表面および反対側の表面を有し、プレート間毛管作用をもたらすのに十分に第１のプレートから離れることができる第２のプレートと、を有する。流体移送要素は、流体貯留要素と流体連通状態にあると共に流体貯留要素を実質的に収納しており、第１のプレートの外方へ差し向けられた表面の少なくとも一部は、ユーザの膣上皮に接触できる。
【００１６】
本発明の別の特徴では、膣内器具は、挿入側端部および取出し側端部を備えた流体貯留要素と、流体移送要素であって、外方へ差し向けられた表面および内方へ差し向けられた表面を備える第１のプレート、ならびに、第１のプレートの内方へ差し向けられた表面と向かい合った関係に配置された第１の表面および反対側の表面を有し、プレート間毛管作用をもたらすのに十分に第１のプレートから離れることができる第２のプレート、を含む、前記流体移送要素と、を有する。流体移送要素は、流体貯留要素と流体連通状態にあると共に流体貯留要素を実施的に収納している。取出しひもが、流体貯留要素に取り付けられていて、流体移送要素が流体貯留要素の取出し側端部のところで取出しひもに結合されるようになっており、第１のプレートの外方へ差し向けられた表面の少なくとも一部は、ユーザの膣上皮に接触することができる。
【００１７】
本発明の更に別の特徴では、膣内器具は、挿入側端部および取出し側端部を備えた流体貯留要素と、外方へ差し向けられた表面および内方へ差し向けられた表面を備える第１のプレートを有する流体移送要素と、第１のプレートの内方へ差し向けられた表面と向かい合った関係に配置された第１の表面および反対側の表面を有し、プレート間毛管作用をもたらすのに十分に第１のプレートから離れることができる第２のプレートと、を有する。流体移送要素は、流体貯留要素と流体連通状態にあると共に流体貯留要素を実施的に収納し、流体移送要素は、流体貯留要素の取出し側端部に取り付けられている。
【００１８】
本発明の更に別の特徴では、膣内器具は、挿入側端部、取出し側端部、および挿入側端部と取出し側端部との間の長手方向側部を備えた流体貯留要素と、外方へ差し向けられた表面および内方へ差し向けられた表面を備える第１のプレートを有する流体移送要素と、第１のプレートの内方へ差し向けられた表面と向かい合った関係に配置された第１の表面および反対側の表面を有し、プレート間毛管作用をもたらすのに十分に第１のプレートから離れることができる第２のプレートと、を有する。流体移送要素は、流体貯留要素と流体連通状態にあると共に流体貯留要素を実施的に収納し、流体移送要素は、流体貯留要素の少なくとも１つの長手方向側部に取り付けられている。
【００１９】
本発明の更に別の特徴では、膣内器具は、挿入側端部、取出し側端部、および挿入側端部と取出し側端部との間の少なくとも１つの長手方向側部を備えた流体貯留要素と、外方へ差し向けられた表面および内方へ差し向けられた表面を備える第１のプレートを有する流体移送要素と、第１のプレートの内方へ差し向けられた表面と向かい合った関係に配置された第１の表面および反対側の表面を有し、プレート間毛管作用をもたらすのに十分に第１のプレートから離れることができる第２のプレートと、を有する。流体移送要素は、流体貯留要素と流体連通状態し、流体移送要素は、流体貯留要素の少なくとも１つの長手方向側部に取り付けられている。
【００２０】
本発明の更に別の特徴では、膣内器具は、挿入側端部、取出し側端部、および挿入側端部と取出し側端部との間の少なくとも１つの長手方向側部を備えた流体貯留要素と、外方へ差し向けられた表面および内方へ差し向けられた表面を備える第１のプレートを有する流体移送要素と、第１のプレートの内方へ差し向けられた表面と向かい合った関係に配置された第１の表面および反対側の表面を有し、プレート間毛管作用をもたらすのに十分に第１のプレートから離れることができる第２のプレートと、を有する。流体移送要素は、流体貯留要素と流体連通状態し、少なくとも１つの長手方向側部は、少なくとも１つの外向き表面および少なくとも１つの内向き表面を有し、流体移送要素は、流体貯留要素の外向き面に取り付けられている。
【００２１】
本発明の更に別の特徴では、膣内器具は、外方へ差し向けられた表面および内方へ差し向けられた表面を備える第１のプレートを有する流体移送要素と、第１のプレートの内方へ差し向けられた表面と向かい合った関係に配置された第１の表面および反対側の表面を有し、プレート間毛管作用をもたらすのに十分に第１のプレートから離れることができる第２のプレートと、流体移送要素と流体連通状態にある流体貯留要素と、を有し、流体貯留要素は、挿入側端部および取出し側端部を有し、流体移送要素は、流体貯留要素の挿入側端部に取り付けられている。
【００２２】
流体移送要素は、熱結合可能（thermobondable）であって長手方向に取り付けられてもよいし、複数枚のプレートを含んでいてもよい。
【００２３】
本発明の他の観点および特徴は、添付の図面と関連して本発明の特定の実施形態についての以下の説明を読むと当業者には明らかになろう。
【００２４】
〔好ましい実施形態の詳細な説明〕
本明細書および特許請求の範囲で用いられる「体内流体」という用語およびその派生語は、体の滲出液、特に、人体により生じ、分泌され、人体から流出すると共に（あるいは）人体から排出される液体を意味している。
【００２５】
本明細書および特許請求の範囲で用いられる「流体」という用語およびその派生語は、液体、特に体液に関している。
【００２６】
本明細書および特許請求の範囲で用いられる「シート」という用語およびその派生語は、長さおよび幅と比較して薄い或る物の一部に関している。
【００２７】
本明細書および特許請求の範囲で用いる「平行なプレート」という用語およびその派生語は、プレート間毛管作用により流体を移動させることができる少なくとも２枚の比較的平行なシートのシステムに関している。このシステムにおける個々の「プレート」は、これらの環境内で動くために柔軟性でありかつ（あるいは）弾性であるのがよい。しかしながら、これらプレートを少なくともこれらの構造の局所部分では（これらの相対長さおよび相対幅と比較して）比較的一定の離隔距離を置いて実質的に互いに向かい合った関係に保持するのがよい。かくして、２枚のシートは、ひだ付きであるのがよいが、ひだを「入れ子状に重ねた」場合、シートは一般に、任意所与の局所部分において全体として平行なままである。
【００２８】
本明細書および特許請求の範囲で用いられる「プレート間毛管作用」という用語およびその派生語は、２つの実質的に平行なプレート相互間の隙間内に作られる液体−空気メニスカスで前後の圧力差に起因する流体の移動を意味している。２枚のプレートを特定の距離離して保持する必要はない。ただし、これら２枚のプレートは、流体がプレート間毛管作用によりこれらプレート相互間で動くことができるよう分離可能であるべきである。平行なプレート相互間における流体の上昇をもたらす一般的な方程式は、次のように報告されている。
【００２９】
【数１】
2007537018.tif 000003
上式において、
ｈは、プレート相互間の流体の上昇距離、
σは、プレートと接触状態にある流体の表面張力、
θは、接触角、
ρは、密度、
ｄは、プレート相互間の距離、
ｇは、重力定数、である。
【００３０】
したがって、接触角θが９０度未満である限り、幾分かの毛管引力が存在するであろう。
【００３１】
本明細書および特許請求の範囲で用いられる「多孔質媒体」という用語およびその派生語は、細孔の高度に枝状に分けられたネットワークおよび流体が流通できる細孔スロート（のど部）を備えた連結状態の三次元中実マトリックスに関する。
【００３２】
本明細書および特許請求の範囲で用いる「分離可能なプレート」という用語およびその派生語は、第１のプレートと第２のプレートの分離の任意の状態であって、流体がこれらプレート相互間を動くことができるようにする分離状態を意味している。これは、隣接した第１のプレートと第２のプレートの向かい合った表面がこれらの向かい合った表面の実質的に全ての部分またはこれらを横切って互いに触れている状況を含む。これは、隣接の第１のプレートと第２のプレートの向かい合った表面が流体との接触時に、流体がこれらプレート相互間を動くことができるようにするほど離れるようにこれら向かい合った表面が互いに分離可能に接合されている状況を更に含む。これは、隣接の第１のプレートと第２のプレートの向かい合った表面相互間を流体が依然として自由に動くことができる限り、かかる向かい合った表面が互いに接合されている状況を更に含む。
【００３３】
本明細書および特許請求の範囲で用いられる「流体連通状態にある」という用語およびその派生語は、要素であって、流体が要素相互間を動くことができるよう配置されると共に構成された要素に関している。
【００３４】
本明細書および特許請求の範囲で用いられる「結合され」という用語およびその派生語は、一体構造の２つの部分であって、いずれも同種の材料の部分であり（例えば、折り畳み状態のシートの２つの部分）または互いに接合された材料（例えば、互いに接合された２枚の別々のシート）である２つの部分相互間の関係に関している。
【００３５】
本明細書および特許請求の範囲で用いる「流体透過性」という用語およびその派生語は、流体または水分が追加の加工を施すことなく、例えば穴をあけることなく、通過できるようにする材料または物質に関する。したがって、例えば、非加工織布または不織布は、流体透過性であり、連続したプラスチックフィルムまたは金属フォイルは、そうではない。不織布により、繊維相互間の隙間を通る流体の流れが可能になり、したがって、流体は、毛管作用によりおよび（または）不織布の一方の側から他方の側への圧力差、例えば、使用中タンポンの受ける圧力を介して流れることができるようになっている。
【００３６】
図１ａ〜図１ｃを参照すると、本発明は、流体貯留要素１４と流体連通状態にある少なくとも１つの流体移送要素１２を有する膣内器具１０を提供している（図１ａ〜図１ｃは、流体貯留要素１４の両側に設けられた２つの流体移送要素１２を示している）。この器具は、取出し機構体、例えばひも１６を更に有するのがよい。
【００３７】
流体貯留要素は、任意の有利な形状のものであってよく、かかる形状としては、円筒形、カップ状、砂時計形、球形等が挙げられる。流体貯留要素は、吸収剤または流体収集器具であってよい。流体貯留要素は、別々の区分の状態であってもよく、流体移送要素は、これら区分を跨りまたは連結する。
【００３８】
貯留要素は、当該技術分野において知られた任意の材料、例えば、綿、レーヨン、ポリエステル、超吸収性物質等で作られたものであってよい。流体貯留要素は、当該技術分野において知られた任意の構成物、例えば、圧縮繊維状ウェブ（compressed fibrous webs）、巻き製品（rolled goods）、フォーム等で作られたものであってよい。材料は、一体の塊または複数個の別々の粒子または凝集物として形成されたものでもよい。材料は、比較的安定した形態を維持するよう圧縮された状態であってよく、また、比較的非圧縮状態のままにしたものであってもよい。例えば、吸収材料は、吸収性木材パルプ材料の中央部分を有するものであってよい。パルプは、薄い吸収織布または不織布によって覆われてもよく、そして、飛散性パッドに隣接しまたはこれを全ての側部で完全に包囲してもよい。非圧縮状態でありまたは密度の低い吸収材料は、高密度材料よりも流体について非常に高い保持能力を有する。非圧縮状態の材料を用いるうえでの検討材料は、十分な吸収性を達成するために必要になる場合のある嵩または容積である。
【００３９】
好ましい一実施形態では、流体貯留要素１４は、吸収タンポンである。吸収タンポンは通常、中心軸線およびタンポンの外周面を画定する丸み（radius）を備えた圧縮吸収材料の実質的に円筒形の塊である。かかるタンポンは、例えば、ハース（Haas）の米国特許第１，９２６，９００号明細書、ドスタル（Dostal）の米国特許第３，８１１，４４５号明細書、ウォルフ（Wolff）の米国特許第３，４２２，４９６号明細書、フリーズ等（Friese et al.）の米国特許第６，３１０，２９６号明細書、ルートウィラー等（Leutwyler et al.）の米国特許第５，９１１，７１２号明細書、トゥルーマン（Truman）の米国特許第３，９８３，８７５号明細書、アジヤポン等（Agyapong et al.）の米国特許第６，５５４，８１４号明細書に開示されている。タンポンは通常、流体透過性カバー（これは、別の表面処理を含むのがよくまたはこれに代えて別の表面処理を用いてもよい）および取出しひもまたは他の取出し機構体を更に有する。
【００４０】
吸収本体の形成に有用な吸収材料としては、繊維、フォーム、超吸収剤、ヒドロゲル等が挙げられる。本発明にとって好ましい吸収物質としては、フォームおよび繊維が挙げられる。吸収フォームとしては、親水性フォーム、水性流体により容易に湿潤されるフォームおよびフォームを形成するセル壁がそれら自体流体を吸収するフォームが挙げられる。
【００４１】
繊維は、天然繊維（例えば、綿、木材パルプ、ジュート等）を含むセルロース系繊維および合成繊維（例えば、再生セルロース、硝酸セルロース、酢酸セルロース、レーヨン、ポリエステル、ポリビニルアルコール、ポリオレフィン、ポリアミン、ポリアミド、ポリアクリロニトリル等）から選択されるのがよい。
【００４２】
流体貯留要素はまた、収集カップの形態をしていてもよい。かかる器具の例は、ゾラー（Zoller）の米国特許第３，８４５，７６６号明細書およびコンテント等（Contente et al.）の米国特許第５，２９５，９８４号明細書に開示されている。収集器具は、開放側がユーザの子宮頸部に向いた状態で通常は開いた凹状の形態を取るよう設計されている。膣腔内への挿入を容易にするために収集器具を折り畳みまたは違ったやり方で操作するのがよい。
【００４３】
流体移送要素は、少なくとも第１のプレート１８および第２のプレート２０を有している。第１のプレートと第２のプレートは、１組の平行なプレートとなるよう互いに組み合っており、流体移送要素１２は、流体貯留要素１４から半径方向に遠ざかって延びるものとして示されている。また、追加のプレートを各流体移送要素１２に設けてもよい。
【００４４】
プレートは、体内流体または体液２２の導入によりプレートを隣のプレートから分離することができるよう構成されると共に配置されている（図１ｃ）。少なくとも１つの開口部２４により、体内流体２２の導入が可能である。１つまたは２つ以上のスペーサ要素２６を挿入して隣り合うプレート相互間に空間を作り、これを保持するのがよいが、このようにするかどうかは任意である。
【００４５】
図１ｂは、流体の導入に先立つ１対の平行なプレートを示している。この図では、隣り合うプレート１８，２０の向かい合った表面は、接触状態にある。他方、図１ｃは、体内流体２２により分離された平行なプレートの組を示しており、第１のプレート１８の内方へ差し向けられた表面３０と第２のプレート２０の第１の表面３２との間にプレート間毛管状隙間２８が形成されている。このプレート間毛管状隙間２８は、流体移送要素１２が膣からの体内流体２２を取り込み、広げ、そして体内流体を流体貯留要素１４に向かって移動させることができるプレート間毛管作用をもたらすのに十分である。第１のプレート１８は、外方へ差し向けられた表面３４を更に有し、第２のプレート２０は、反対側の表面３６を更に有している。
【００４６】
プレート１８，２０は、ほぼ任意の疎水性または親水性材料、好ましくはシート状材料で作られたものであるのがよい。各プレートの厚さは、重要ではない。しかしながら、この厚さは、好ましくは、約０．１２７〜約１．２７０ｍｍ（約０．００５〜約０．０５０インチ）の範囲から選択されるのがよい。プレートの構成材料および厚さは、これらが流体にさらされても、十分に剛性であると共に（あるいは）濡れて潰れるようになりにくいものであるように設計されるべきである。好ましくは、シート状材料は、比較的滑らかな不織布である。流体貯留要素が流体移送要素にとって適当な性質を有している場合、２つの要素を同一の材料で形成してもよい。
【００４７】
具体的には、流体移送要素を形成するのに有用な材料は、流体移送要素を膣内器具に組み込む手段を提供する性質、例えば熱接着性（thermobondability）を有するものでもよい。有用な材料の代表的で非限定的なリストとしては、ポリオレフィン、（例えばポリプロピレンおよびポリエチレン）、ポリオレフィンコポリマー、（例えばエチレンビニルアセテート（“ＥＶＡ”）、エチレンプロピレン、エチレンアクリレートおよびエチレンアクリル酸ならびにこれらの塩）、ハロゲン化ポリマー、ポリエステルおよびポリエステルコポリマー、ポリアミドおよびポリアミドコポリマー、ポリウレタンおよびポリウレタンコポリマー、ポリスチレンおよびポリスチレンコポリマー等が挙げられる。また、流体移送要素は、微小エンボス加工されまたは孔が設けられたものであるのがよい。
【００４８】
流体移送要素１２はまた、組織または組織の層から構成されたものであってもよい。適当な組織の１つは、ウィスコンシン州グリーンベイ所在のフォート・ホワード・ティシュー・カンパニー（Fort Howard Tissue Company）から入手でき、基本重量が約１５．９ｋｇ／８３６，１２７ｍ2（約３５ポンド／３０００ｆｔ2）のエアレイド組織である。別の適当なエアレイド組織は、カナダ国ブリテッシュコロンビア・デルタ所在のマーフィン・ハイジェニック・プロダクツ・リミテッド（Merfin Hygenic Products, Ltd.）から入手でき、これは、約２７．７ｋｇ／８３６，１２７ｍ2（約６１ポンド／３０００ｆｔ2）の基本重量および表示等級番号１７６を有している。
【００４９】
上述したように、流体移送要素は、繊維状不織布で作られたものであってもよい。一実施形態では、不織布は、天然繊維、合成繊維または流体が流体貯留要素まで流通させることができる合成繊維と天然繊維の配合物から作られたものであってもよい。不織布は、親水性であってもよく、疎水性であってもよい。カバー材料は、有孔流体透過性材料（apertured, fluid pervious material）となるように当該技術分野において知られている方法により孔があけられたもの、または、孔をあけることができるものとすることができる。孔により、比較的粘性の高い流体または或る程度の固形分を有する流体、例えば経血が、流体透過性材料を比較的妨げられない状態で通過することができ、したがって、かかる流体を流体貯留要素により容易に吸収できるようになっている。孔により、流体、例えば経血が、物品内へより深く浸入して物品のマスキング性質（masking property）を向上させることができる。したがって、本発明の流体透過性、好ましくは不織流体移送要素により、流体貯留要素への流体移送および流体貯留要素内への流体の吸収が可能である。
【００５０】
一実施形態では、流体移送要素は、疎水性でありまたは疎水性にされ、したがって、吸収流体が流体貯留要素に引き付けられまたは流体移送要素内ではなく流体貯留要素内に留まるようになる。疎水性流体移送要素の比較的貧弱な吸い上げ特性により、流体移送要素は、比較的経血が無い状態に保たれ、使用後の膣内器具に清潔な見た目を与える。一実施形態では、孔は、コア内への流体の流れを向上させると共に使用後における見た目を良好にすることができる。孔を流体移送要素に設けることにより、比較的粘性の高い流体の流体吸収度を、孔を介する流体吸収に対する障害物が無いので、向上させることができる。カバーは、比較的経血が無い状態に保たれ、汚れ度が少なく、その元の外観に近いように見える。これにより、全体的に清潔な外観が得られる。
【００５１】
流体移送要素の露出面をできるだけ滑らかに保つと有用な場合がある。また、この露出面が低い摩擦係数を備えるようにすると有利な場合がある。これら特性は、少なくとも２つの利点、即ち（１）膣内器具を挿入するのに必要な力が減少すること、および（２）もし上述のように構成しなければ挿入中、着用中および取出し中、柔らかくて弱い膣組織を擦ることにより生じる損傷が軽減されることをもたらすことができる。プレート１８，２０は、同種の材料で作られるのがよいが、変形例として、プレート１８は、プレート２０とは異なる材料で作られてもよい。
【００５２】
平行なプレートは、第１のプレート１８の内方へ差し向けられた表面３０および第２のプレート２０の第１の表面３２に平行な方向における流体流れベクトルに対する抵抗であって、プレートに垂直な方向における流体の流れベクトルに対する抵抗よりも低い抵抗をもたらす物理的構造であれば、任意の物理的構造を有してよい。好ましくは、プレートは、非繊維状表面を備えた滑らかな材料で作られ、２つの層相互間で流体を移送することができる。
【００５３】
流体移送要素１２は、取扱い、挿入および取出しの際に破断を阻止すると共に使用中膣圧に耐えるのに十分強固であるべきである。
【００５４】
流体移送要素１２の表面は、膣内器具１０が集めようとする体内流体によって十分に湿潤可能であることが好ましい（これは、主として、プレート表面の表面エネルギーと体内流体の相関関係に起因している）。かくして、体内流体は、プレートを容易に濡らし、プレート相互間の毛管現象により、これら体内流体は、源から流体移送要素と流体連通状態にある流体貯留要素に引き寄せられる。
【００５５】
表面処理を利用すると、プレート１８，２０の表面エネルギーを変えることができる。好ましい実施形態では、平行なプレートの外面または内面の湿潤性を高めるために界面活性剤が塗布される。これにより、体内流体が１対のプレート相互間に引き込まれ、これらの間で広がる速度が増大するであろう。内面か外面かのいずれかに界面活性剤を一様に塗布するのがよく、あるいは、界面活性剤を互いに異なる領域に様々な塗布量で塗布してもよい。
【００５６】
プレート表面の湿潤性を決定する有用な尺度は、１．０％の食塩水とのその接触角である。好ましくは、１．０％食塩水との接触角は、約９０度以下である。
【００５７】
これを達成するため、プレートの材料は、低エネルギー表面を有するものとして当該技術分野において知られている材料から選択されるのがよい。また、高エネルギー表面を有する材料を、体内流体によるこれらの湿潤性を高めるために、表面添加剤、例えば非イオン性界面活性剤（例えば、エトキシレート（ethoxylates））、ジオールまたはこれらの混合物で被覆することが可能であると共に有用である。かかる添加剤は、当該技術分野において周知であり、例としては、ヤン等（Yang et al.）の米国特許出願公開第２００２−０１２３７３１−Ａ１号明細書および米国特許第６，５７０，０５５号明細書に記載された添加剤が挙げられる。湿潤性を高める他の手段は、例示として、例えばポリエチレンまたはポリプロピレンのコロナ放電処理、あるいは、例えばポリエステルの苛性エッチング（caustic etching）を使用することができる。
【００５８】
流体移送要素を形成する平行なプレートは、材料が膣内器具の使用中に流体を流体貯留要素まで移送することができる限り、任意の柔軟性のものであってよい。また、流体移送要素は、膣内器具を挿入し、着用し、取り出している間、ユーザに快適さをもたらすほど十分柔軟性を有することが好ましい。
【００５９】
互いに向かい合った第１のプレートと第２のプレートの表面は、滑らかなテキスチャ加工状態から高度なテキスチャ加工状態まで種々の表面テキスチャまたは表面模様を有するのがよい。テキスチャ加工要素は、スペーサ２６として設けられるのがよい。
【００６０】
スペーサ２６またはテキスチャの有用性は、材料が圧縮力と流体を同時に受けたときに濡れて潰れるのに耐えることができるということに基づいている場合がある。
【００６１】
スペーサ要素２６は、プレートのうちの１枚または２枚以上に被着される別個の要素であってもよく、あるいは、プレートの主要な表面のうちの一方から遠ざかって延びるプレートの一体部分であってもよい。かかる別個のスペーサ要素の代表的なリストとしては、発泡材料（例えばポリスチレンフォーム）、粒子（例えばビーズおよび結晶）、不連続材料（例えばネット、糸、蝋、接着剤、プレート相互間に離隔距離を生じさせる任意のばらばらの要素等）が挙げられるがこれらには限定されない。
【００６２】
一体形スペーサ要素は、プレート材料の厚くなった部分またはプレート材料の変形部であるのがよい。かかる一体形スペーサ要素の代表的なリストとしては、こぶ状突起、エンボス、波形部（段部）、変形部等が挙げられるが、これらには限定されない。この定義には、第１の材料の表面に第２の材料を永続的に結合する表面処理が含まれる。スペーサ要素もまた、プレートのテキスチャを増強させる。この理論に束縛されることを願うものではないが、テキスチャ加工は、移送されるべき流体の粘度を減少させると考えられる。テキスチャはまた、段々と変化するものであってもよい。例えば、一実施形態では、プレートのテキスチャは、流体が流体移送要素に流入するプレートの縁部の近くの滑らかな状態から流体が吸収されるより表面テキスチャ加工度の高い状態までの漸変状態を有する。
【００６３】
互いに対するプレートのスライドおよびプレート相互間の空間の変化に対して安定性を維持するために、スペーサ要素２６とその隣のプレートとの間または２枚の隣り合うプレートのスペーサ要素２６相互間に幾分かの局所接触領域を確保することが容認でき、好ましい場合さえある。プレートを当業者に知られている手段により固定することができる。かかる固定手段の代表的なリストとしては、熱結合（thermobonding）、接着、圧着、エンボス加工、超音波結合または超音波溶接等が挙げられるが、これらには限定されない。接着剤をスペーサ要素と第１および第２のプレートとの間に塗布するのがよい。好ましくは、接着剤は、湿潤性である。
【００６４】
図２および図３を参照すると、第１のプレート１８と第２のプレート２０は、同一のシート状材料の延長部であってもよく、例えば、材料のシートに設けられた折り目によって形成されたものであってもよく（図２ａ〜図２ｃに示されているように）、あるいは、これらプレートは、別々の要素であってもよい（即ち、互いに隣接しているが、必ずしも接合されない）。かかる折り畳み実施形態では、材料は好ましくは、第１のプレートと第２のプレートが互いに向かい合った状態でひだを形成するよう折り畳まれる。
【００６５】
ひだ付きの好ましい実施形態が、図２ａ〜図２ｅに示されており、かかる実施形態では、ひだ４４は、カバー材料４６に設けられた折り目である。ひだ４４は、製品の長手方向軸線（Ｘ−Ｘ）に実質的に平行な無限の数の曲げ軸線（ｂ1-i−ｂ1-i）回りに曲げ可能なプレートを形成する。この長手方向軸線は、挿入端部４８と取出し端部５０を通って延びている。これら曲げ軸線により、プレートは、部分的に、あるいはぐるりと一回りかのいずれかで製品を包むことができる。かかる曲げ軸線の１つ（ｂ1−ｂ1）が図２ａに示されている。
【００６６】
流体移送要素１２は、流体貯留要素１４と流体連通状態にあり、流体を膣から貯留要素１４に差し向ける。一般に、流体は、各流体移送要素１２からその流体移送要素と関連した流体貯留要素の特定の領域に差し向けられることになる。かくして、器具が流体移送要素１２を１つしか備えていない場合、流体は、１つのインターフェイス５２で流体貯留要素に接触することになる。
【００６７】
したがって、流体を流体貯留要素１４の追加の場所に差し向ける追加の流体移送要素１２が、流体貯留要素１４の効果的な利用の仕方を向上させることになる。例えば、図１ａ〜図１ｃに示すように、２つの流体移送要素１２を流体貯留要素１４の互いに反対側に差し向けるのがよい。追加の流体移送要素１２は各々、流体を流体貯留要素１４の追加のインターフェイス場所５２に差し向けることができる。例えば、４つの等間隔を置いて設けられた流体移送要素１２は、流体を図２ａ〜図２ｅに示すように流体貯留要素１４の表面の各１／４に差し向けることができる。５つまたは６つ以上の要素は、更に多くの直接的な接近手段を提供する。これにより、流体は、流体貯留要素１４に一様に接触することができ、しかもこれは、流体貯留要素１４の局所飽和を阻止しまたは軽減するのに役立つ。
【００６８】
上述の説明は、流体移送要素１２と流体貯留要素１４との間の直接的な流体連通に関するものであるが、直接的な流体接触は、必要条件ではない。中間要素、例えば、多孔質媒体（例えば、フォームまたは繊維状構造体）、中空管等を介して流体連通が行われてもよい。
【００６９】
流体移送要素１２と流体貯留要素１４のインターフェイス５２の領域を拡大することもまた、流体連通度を最大にするのに役立ち得る。例えば、流体移送要素１２の長さを長くすることによりインターフェイスを細長くすることによって、より多くの流体が、流体貯留要素１４に流入することができる。
【００７０】
流体移送要素１２は、流体貯留要素１４の表面から任意の向きに延びていてよい。流体移送要素が流体貯留要素の表面上に位置することは必要ではない。
【００７１】
第１のプレート１８および第２のプレート２０により形成されるプレート間毛管状隙間２８は、インターフェイス５２のところで終端してもよく、あるいは、流体貯留要素１４内に延びると共に（あるいは）流体貯留要素１４を貫通していてもよい。流体貯留要素１４内に延びる流体移送要素１２の例が、図３に示されている。第１および第２のプレートは、これらの頂部に追加の層を有するのがよい。ただし、これら追加の層により流体がプレートに流入できることを条件とする。第１および第２のプレートは、移送要素の境界部のところで終端してもよく、あるいは、流体貯留要素１４内に延びてもよい。
【００７２】
流体移送要素１２は、図１ａ〜図１ｃに示すように流体貯留要素１４の表面から延びるよう形成されたものであるのがよい。この流体移送要素は、任意の有利な形状で作られたものであるのがよく、かかる形状としては、半円形、三角形、正方形、砂時計形等が挙げられる。加うるに、流体移送要素の２枚のプレートは、これらが少なくとも部分的に向かい合った関係にある限り、完全に同一の広がりを有する必要はない。
【００７３】
平行なプレートは、追加の要素を介して貯留要素に対し直接または間接的な仕方を含む種々の仕方で、貯留要素に密接して保持するのがよい。種々の方法を利用して、流体移送要素１２を取り付けることができ、かかる取付け方としては、熱、接着剤、超音波、縫合および流体貯留要素１４への機械的な係合が挙げられる。ヒートシール取付け部５４の例が、図２ａに示されている。
【００７４】
流体移送要素１２を膣内器具の側部、挿入側端部４８および（または）取出し側端部５０のところに取り付けるのがよい。加うるに、流体移送要素１２を、貯留要素の比較的ルーズな袋形覆いのように貯留要素ではなくそれ自体に取り付けてもよい。また、流体移送要素１２を取出しひもに取り付けてもよい。
【００７５】
流体移送要素を流体貯留要素に直接取り付けてもよく、あるいは、１つまたは２つ以上の場所で流体移送要素自体に取り付けてもよい。流体移送要素自体へのもしくは、流体貯留要素への、かかる取付けまたは付着は、任意公知の手段で行うことができ、かかる手段としては、例えば、接着剤、超音波、同時エンボス加工、熱結合、機械的結合（例えば、圧着）等が挙げられる。一実施形態では、流体移送要素は、熱結合可能な材料で作られる。変形例として、材料は、融点の異なる２つの互いに異なる材料で作られてもよく、これらの材料のうち少なくとも一方はまた、熱結合可能である。
【００７６】
図４ａおよび図４ｂに示す実施形態では、カバー材料４６は、流体貯留要素１４（タンポンとして示されている）を実質的に包囲し、袋またはサック構造体５６を形成する。この構造体は、カバー材料４６の部分部分で形成された１対の流体移送要素１２′をもたらす。この実施形態では、カバー材料４６をこの材料の縁部を取出し側端部５０の周りにまとめた状態でタンポンの挿入側端部４８上に垂らし掛け、次にそれ自体５４′に結合する。次に、その結果得られた流体移送要素１２′を図２ｂに示す仕方でタンポンの周りに折り畳むのがよい。
【００７７】
図４に示す実施形態と類似した他の実施形態が可能である。例えば、図５は、取出しひも１６への流体移送要素１２の取付け部５４″を示し、図６は、取出し側端部５０のところでの、特に流体移送要素１４のベース５８への取付け部５４″′を示している（ベース５８は、取出しひも１６が延びる起点としての全体として円形の表面である）。これら実施形態の全てにおいて、カバー材料４６および関連の流体移送要素１２は、流体貯留要素１４を実質的に包囲するが、流体貯留要素１４の性能にはそれほど影響を及ぼさない。例えば、流体貯留要素１４を圧縮しておき、そしてこの流体貯留要素が流体にさらされたときに膨張する場合、流体貯留要素１４の膨張は、流体貯留要素１４への流体移送要素１２の取付けまたは結合によっては影響を受けずまたは阻止されない。
【００７８】
図４〜図６に示すと共に説明した実施形態では、流体貯留要素１４が一体形要素である必要はない。例えば、流体貯留要素１４は、多数の別々の部分またはセグメントを有してもよい。セグメントを互いに取り付けてもよくまたはこれらセグメントは、別々であってよい。別々のセグメントの例は、比較的ゆるい吸収材料または圧縮状態のセルロース系錠剤であってもよい。しかしながら、これら別々のセグメントは、流体移送要素１２が上述したように平行なプレートを形成することができるよう少なくとも部分的に収納されてもよい。
【００７９】
図７に示す本発明の変形実施形態では、流体移送要素１２および流体貯留要素１４は、流体貯留要素１４の挿入側端部４８のところに取付け部５４を有している。流体移送要素１２に形成されたひだ４４を先に図２ｂに示すようにタンポンの周りに折り畳めてもよい。加うるに、シート材料の下方部分６０もまた、上述するとともに以下に説明するように流体貯留要素１４の取出し側端部５０に取り付けて取出し時に流体移送要素１２の裏返しを阻止するのがよい。
【００８０】
流体移送要素１２が流体貯留要素１４の取出し側端部５０のところで結合されまたは集められた実施形態では、器具の挿入および取出しの際の干渉を制限するよう流体移送要素１２の材料がひとまとまりになるのを最小限に抑えることが好ましい。
【００８１】
必要条件ではないが、流体移送要素１２を形成するために用いられるシート状材料が、当初、シートが少なくとも１つのコーナー部を有するような形状であってもよい。シート状材料を流体貯留要素１４上に置いてシートの少なくとも一部が流体貯留要素１４から遠ざかって延びるようにする。一実施形態では、シートは、複数個のコーナー部を有し、各コーナー部を流体貯留要素１４の取出し側端部５０に取り付けてもよい。例えば、４組の平行なプレートが望ましい場合、シート状材料は、正方形であってよい。
【００８２】
流体貯留要素１４が、例えば米国特許第５，１６５，１５２号明細書に開示するようなエンボス加工溝を備えた圧縮型のタンポンである場合、取付け部は、最も外側の表面（非エンボス加工）上に位置し、または溝内に位置してもよく、かかる米国特許を参照により引用し、その開示内容を本明細書の一部とする。取付けは、流体貯留要素１４の圧縮前、圧縮中および（または）圧縮後に行われてもよい。
【００８３】
図８および図９の実施形態は、図７の実施形態と類似している。特に、流体移送要素１２のコーナー部は、流体貯留要素１４のベース５８に取り付けられている。図９で理解されるように、コーナー部は好ましくは、円形ベース５８の中央とオーバーラップしていない。
【００８４】
溝６０を備えた圧縮型のタンポンを流体貯留要素１４として用いる場合、タンポンは、流体移送要素による制限を受けないで膨張するようになっている場合、最適に働くものと考えられる。圧縮型のタンポンの中には、乾式膨張に起因して膨張するものがあるが、流体にさらされて膨張するものもある。溝を備えたかかる圧縮型のタンポンの一例は、ニュージャージー州スキルマン所在のマクネール−ＰＰＣ・インコーポレイテッド（McNEIL-PPC, Inc.）から入手できるｏ．ｂ．（登録商標）タンポンである。
【００８５】
図１０〜図１２に示す実施形態では、流体貯留要素１４は、外面６２および溝６０を備えた圧縮型のタンポンである。溝６０は、内側部分を有し、この内側部分は、流体の吸収時およびその結果としてのタンポンの膨張時にタンポンの外面６２の一部になる。流体移送要素１２がタンポンの外面６２にその取出し側端部５０のところで取り付けられているので、この流体移送要素は、タンポン溝６０内へは延びない。かくして、流体貯留要素１４は、流体移送要素１２からの干渉を受けないで膨張することができる。換言すると、流体移送要素１２は、流体貯留要素１４の機能性をそれほど制限しない。ひだ４４′が、流体移送要素１２に形成されており、これらひだを先の図２ｂに示すようにタンポン周りに同様に折り畳めてもよい。
【００８６】
図１０に示すように、真っ直ぐな溝を備えたタンポンが、タンポンに沿う１本または２本以上の単一の線に沿って一連の熱結合部５４を用いて流体移送要素１２に取り付けられている。これにより、結合線を溝６０と一致するのを避けるために正確に位置合わせできるので、取付け部５４とタンポンの外面６２の容易な位置合わせが可能になる。かくして、流体移送要素１２をタンポンの膨張を邪魔しないで長手方向側部に沿って容易に取り付けることができる。
【００８７】
図１１および図１２に示す類似の実施形態では、流体移送要素１２を螺旋状に差し向けられた溝を備えるタンポンの長手方向側部に沿って取り付けてもよい。この実施形態では、流体移送要素１２の取付けゾーン６４は、１つのローブ６６から溝６０を横切って隣りのローブ６６′まで延びている。例えば不織布ウェブのような材料は、或る程度の弾性を有し、かかる材料は、タンポンの膨張、特に溝６０の内側部分内に位置する材料の膨張を可能にするよう設計できる。
【００８８】
所望ならば、取付けゾーン６４を流体貯留要素１４の長手方向軸線Ｘ−Ｘに対して任意の方向に差し向けることができる。図１１および図１２に示すように、取付けゾーン６４は、別々の結合部、例えばドットまたはスポッドのマトリックスまたはまとまりを有する。これにより、流体移送要素１２と流体貯留要素１４との間のインターフェイスは、流体の流れに対してできるだけ開いたままであることができる。
【００８９】
上述すると共に図示したように、流体移送要素１２を多くの方法および実施形態により流体貯留要素１４に取り付けることができる。例えば、図１３〜図１５を参照すると、タンポンをフリーズ（Friese）の米国特許第４，８１６，１００号明細書およびフリーズ等（Friese et al.）の米国特許第６，３１０，２６９号明細書またはルートウィラー等（Leutwyler et al.）の米国特許第５，９１１，７１２号明細書に示すように製造することができる。しかしながら、タンポンを製造した後であって包装前に、成形ツール１０２、複数個のブレード１０６を備えた雄型ツール１０４および熱結合要素１０８を用いる追加のプロセスにより、流体移送要素１２を流体貯留要素１４に被着させる。ツールを、雄型ツール１０４のブレード１０６が成形ツール１０２の対応のスロット１１０と協働するような仕方で整列させる。加うるに、ツールは各々、中央孔１１２，１１２′を有し、流体貯留要素１４は、加工中、かかる孔を通過することができる。
【００９０】
幾分詳細に説明すると、材料の個々のシート１１４を供給源（図示せず）から分離し、成形ツール１０２上に配置する。成形ツール１０２の面１１８に設けられた複数個の真空ポート１１６を介して成形ツール１０２を横切って真空を引き、それにより個々のシート１１４を定位置に保持する。
【００９１】
雄型ツール１０４のブレード１０６は、雌型ツール１０４（図１５に示す）の中央孔１１２周りに放射状に配置された状態で示されている。ブレード１０６は、互いに協同して流体貯留要素１４を中央孔１１２と一線をなして保持する。プッシュロッド（図示せず）が、雄型ツール１０４の中央孔１１２に浸入して流体貯留要素１４のベースに当たるよう配置されている。図１３〜図１５に示す好ましい実施形態では、４つのブレード１０６が、中央孔１１２周りに等角度間隔を置いて配置されている。各ブレード１０６は、流体貯留要素１４（存在している場合）に向いた案内縁部１２０および案内縁部１２０から半径方向外方に設けられた襞付け縁部１２２を備えている。襞付け縁部１２２は、案内縁部１２０に隣接して位置する縁部であってもよく、あるいはブレード１０６の１つまたは２つ以上の中間部分によって分離したものであってもよい。
【００９２】
作用を説明すると、流体貯留要素１４を保持した雄型ツール１０４を中央孔１１２，１１２′と整列した状態で縦方向軸線（Ｍ−Ｍ）に沿って個々のシート１１４を支持した成形ツール１０２に向かって動かす。流体貯留要素１４の挿入側端部４８は、個々のシート１１４に接触し、これを成形ツール１０２の中央孔１１２′中へ押す。ブレード１０６の襞付け縁部１１２は、個々のシート１１４の対応の部分を４組の平行なプレート１８、２０を形成する成形ツール１０２のスロット１１０中へ押す。
【００９３】
流体貯留要素１４を取出し側端部５０の一部だけが露出されたままの状態で成形ツール１０２の中央孔１１２′内にいったん挿入すると、熱結合要素１０８が、ブレード１０６相互間の空間内へ延びて個々のシート１１０の４つのコーナー部を流体貯留要素１４の外面６２に結合して流体移送要素１２を形成する。次に、プッシュロッドは、引き続き挿入可能な器具１０を成形ツール１０２の中央孔１１２′中へ移動させ、かかる中央開口部を通って移動させるのがよい。この結果として得られる挿入可能な器具は、当該技術分野においてよく知られているように衛生的な包みに包装される。
【００９４】
図１３〜図１５を参照して上述した方法は、流体貯留要素１４よりも短い案内縁部１２０を備えたブレード１０６を用いるが、この関係を変更してもよい。例えば、ブレード１０６は、流体貯留要素１４よりも長い案内縁部１２０を有するよう改造してもよく、あるいは、システムは、先導部分１２４が個々のシート１１４にまず最初に接触することができるよう改造されたものであってもよい。これにより、タンポンの挿入側端部４８と個々のシート１１４との間に僅かな隙間を形成することができ、使用中、流体移送要素１４による制限を受けないで、タンポンのより自由な膨張が可能になる場合がある。
【００９５】
使用中、流体移送要素１２は、膣内で多くの形態を取ることができる。例えば、流体移送要素１２は、図１６に示すように、流体貯留要素１４から遠ざかって膣内へ延びることができる。変形例として、流体移送要素１２は、第１の表面３０（図１７）を介してのみ膣壁“Ｗ”に接触した状態で流体貯留要素１４に巻き付けられたままであってもよい。
【００９６】
取出し機構体、例えば取出しひも１６は好ましくは、使用後に取り出せるように膣内器具１０に接合されている。取出し機構体は好ましくは、少なくとも流体貯留要素１４に接合され、この取出し機構体は、少なくともその取出し側端部５０を越えて延びている。当該技術分野において現在知られている取出しひものうちの任意のものを適当な取出し機構体として用いることができ、かかる取出し機構体としては、編組（または撚り）コード、ヤーン等が挙げられるが、これらには限定されない。加うるに、取出し機構体は、他の形態、例えば、リボン、ループ、タブ等（現在用いられている機構体とこれら他の形態の組合せを含む）を取ることができる。例えば、数本のリボンを撚りまたは編組して平行なプレート構造体を形成してもよい。
【００９７】
タンポンは一般に、２つのクラス、即ち、アプリケータ利用型タンポンと指利用型タンポンに分類され、或る程度の寸法安定性が、タンポンの各タイプにとって有用である。アプリケータ利用型タンポンは、使用前にタンポンを収容して保護する比較的硬質の器具を用いる。タンポンを体腔内に挿入するため、タンポンを収容したアプリケータを体腔内に部分的に挿入し、タンポンをアプリケータから体腔内に放出するのがよい。これとは対照的に、指利用型タンポンは、これらタンポンを体腔内に案内するのに役立つアプリケータを備えておらず、アプリケータを用いないで挿入を可能にするのに十分な長柱強度を必要とする。
【００９８】
アプリケータ利用型タンポンは、硬質アプリケータ器具によって保護され、アプリケータ利用型タンポンは、指利用型タンポンほど高い度合いの長柱強度を有する必要はないが、アプリケータ利用型タンポンは、使用するのに十分な寸法安定性（特に半径方向）を必要とする。この寸法安定性は、例えば、タンポンが時期尚早に膨れてその包装材料を割ることはなくまたはタンポンアプリケータ内でくさび止め状態にならないようにすることを保証する。
【００９９】
さらに、膣内器具を包装および挿入のために潰すのがよい。例えば、流体移送要素１２の主要な表面、例えば第１の表面３０の少なくとも一部が、流体貯留要素１４の外面の少なくとも一部と接触状態にあるのがよい。これは、流体移送要素を流体貯留要素１４に巻き付けることにより達成できる（図２ｂに示すように）。変形例として、流体移送要素１２を流体貯留要素１４に対して折り畳みまたはひだ付けしてもよい（例えば、アコーディオンのような仕方で）。次に、このようにコンパクトにした状態の器具を包装するのがよい（例えば、アプリケータ内にまたは包装材料内に単独に）。図１８は、アプリケータ６８（想像線で示されている）内の巻き状態のタンポンを示している。
【０１００】
上述の説明および実施形態は、本明細書において開示した本発明の完全でかつ非限定的な理解を助けるために与えられている。本発明の多くの変形例および実施形態を本発明の精神および範囲から逸脱することなく想到できるので、本発明は、添付の特許請求の範囲に記載されている。
【０１０１】
〔実施の態様〕
本発明の具体的な実施態様は、次の通りである。
（１）哺乳動物の体の中で使用される流体管理器具において、
少なくとも１つの流体移送要素であって、前記少なくとも１つの流体移送要素と流体連通状態にある流体貯留要素に実質的に連続する流体導管を提供するよう体要素とインターフェイスを取ることができる、前記少なくとも１つの流体移送要素、
を具備し、
前記流体移送要素は、外方へ差し向けられた表面および内方へ差し向けられた表面を有する少なくともシート状の第１のプレートを備え、
前記少なくとも１つの流体移送要素の遠位部分は、前記流体貯留要素から遠ざかって延びることができる、
流体管理器具。
（２）実施態様（１）記載の流体管理器具において、
前記流体移送要素は、不織布を含む、流体管理器具。
（３）膣内器具において、
ａ．長手方向軸線、挿入側端部、および取出し側端部、を備えた流体貯留要素と、
ｂ．前記流体貯留要素と流体連通状態にある少なくとも１つの流体移送要素であって、
ｉ．外方へ差し向けられた表面および内方へ差し向けられた表面を備える第１のプレート、ならびに、
ｉｉ．前記第１のプレートに結合された第２のプレートであって、前記第１のプレートの内方へ差し向けられた表面と向かい合った関係に配置されると共に保持された第１の表面、および反対側の表面を有し、プレート間毛管作用をもたらすのに十分に前記第１のプレートから離れることができる、前記第２のプレート、
を備える、前記少なくとも１つの流体移送要素と、
を具備し、
前記第１のプレートおよび前記第２のプレートのうちの少なくとも一方は、シート状材料を含み、
前記少なくとも１つの流体移送要素は、前記流体貯留要素の前記長手方向軸線に実質的に平行な軸線回りに曲げ可能であり、
前記流体移送要素は、前記流体貯留要素の前記取出し側端部に取り付けられている、
膣内器具。
（４）実施態様（３）記載の膣内器具において、
前記流体移送要素は、前記流体貯留要素のベースに取り付けられている、膣内器具。
（５）実施態様（３）記載の膣内器具であって、
前記流体移送要素は、不織布を含む、膣内器具。
【０１０２】
（６）膣内器具において、
ａ．長手方向軸線、挿入側端部、取出し側端部、および前記挿入側端部と前記取出し側端部との間に位置する少なくとも１つの長手方向側部、を備えた流体貯留要素と、
ｂ．前記流体貯留要素と流体連通状態にある少なくとも１つの流体移送要素であって、
ｉ．外方へ差し向けられた表面および内方へ差し向けられた表面を備える第１のプレート、ならびに、
ｉｉ．前記第１のプレートに結合された第２のプレートであって、前記第１のプレートの内方へ差し向けられた表面と向かい合った関係に配置されると共に保持された第１の表面、および反対側の表面を有し、プレート間毛管作用をもたらすのに十分に前記第１のプレートから離れることができる、前記第２のプレート、
を備える、前記少なくとも１つの流体移送要素と、
を具備し、
前記第１のプレートおよび前記第２のプレートのうちの少なくとも一方は、不織布を含み、
前記少なくとも１つの流体移送要素は、前記流体貯留要素の前記長手方向軸線に実質的に平行な軸線回りに曲げ可能であり、
前記流体移送要素は、前記流体貯留要素の前記少なくとも１つの長手方向側部に取り付けられている、
膣内器具。
（７）実施態様（６）記載の膣内器具において、
前記流体移送要素は、前記流体貯留要素の前記取出し側端部に取り付けられている、膣内器具。
（８）膣内器具において、
ａ．長手方向軸線、挿入側端部、取出し側端部、および前記挿入側端部と前記取出し側端部との間に位置する少なくとも１つの長手方向側部、を備えた流体貯留要素と、
ｂ．前記流体貯留要素と流体連通状態にある少なくとも１つの流体移送要素であって、
ｉ．外方へ差し向けられた表面および内方へ差し向けられた表面を備える第１のプレート、ならびに、
ｉｉ．前記第１のプレートに結合された第２のプレートであって前記第１のプレートの内方へ差し向けられた表面と向かい合った関係に配置されると共に保持された第１の表面、および反対側の表面を有し、プレート間毛管作用をもたらすのに十分に前記第１のプレートから離れることができる、前記第２のプレート、
を備える、前記少なくとも１つの流体移送要素と、
を具備し、
前記第１のプレートおよび前記第２のプレートのうちの少なくとも一方は、不織布を含み、
前記少なくとも１つの流体移送要素は、前記流体貯留要素の前記長手方向軸線に実質的に平行な軸線回りに曲げ可能であり、
前記流体移送要素は、前記流体貯留要素の前記取出し側端部の近くで前記流体移送要素自体に取り付けられている、
膣内器具。
（９）実施態様（８）記載の膣内器具において、
前記流体移送要素は、前記流体貯留要素の前記取出し側端部に取り付けられている、膣内器具。
（１０）膣内器具において、
ａ．長手方向軸線、挿入側端部、取出し側端部、および前記挿入側端部と前記取出し側端部との間に位置する少なくとも１つの長手方向側部、を備えた流体貯留要素と、
ｂ．前記流体貯留要素と流体連通状態にある少なくとも１つの流体移送要素であって、
ｉ．外方へ差し向けられた表面および内方へ差し向けられた表面を備える第１のプレート、ならびに、
ｉｉ．前記第１のプレートに結合された第２のプレートであって、前記第１のプレートの内方へ差し向けられた表面と向かい合った関係に配置されると共に保持された第１の表面、および反対側の表面を有し、プレート間毛管作用をもたらすのに十分に前記第１のプレートから離れることができる、前記第２のプレート、
を備える、前記少なくとも１つの流体移送要素と、
を具備し、
前記第１のプレートおよび前記第２のプレートのうちの少なくとも一方は、不織布を含み、
前記少なくとも１つの流体移送要素は、前記流体貯留要素の前記長手方向軸線に実質的に平行な軸線回りに曲げ可能であり、
前記流体移送要素は、前記流体貯留要素を実質的に包囲するよう取出しひもに取り付けられている、
膣内器具。
【０１０３】
（１１）実施態様（１０）記載の膣内器具において、
前記流体移送要素は、前記流体貯留要素の前記取出し側端部に取り付けられている、膣内器具。
（１２）膣内器具の製造方法において、
ａ．体内流体を動かすのに有用な性質を備えた不織布の個々のシートを用意するステップと、
ｂ．前記個々のシートを長手方向軸線を備えた流体貯留要素に取り付けて、前記流体貯留要素から半径方向に遠ざかって延びることができる少なくとも１つの流体移送要素を形成するステップと、
ｃ．前記少なくとも１つの流体移送要素を前記流体貯留要素の長手方向軸線に平行な軸線の周りに折り畳むステップと、
ｄ．結果的に得られた膣内器具を包装するステップと、
を含む、製造方法。
（１３）膣内器具の製造方法において、
ａ．体内流体を動かすのに有用な性質を備えた不織布の供給源から個々のシートを分離するステップと、
ｂ．長手方向軸線、長手方向側部、挿入側端部、および取出し側端部、を備えた流体貯留要素を準備するステップと、
ｃ．前記個々のシートを前記流体貯留要素の前記挿入側端部および成形ブレードのひだ付け縁部に係合させるステップと、
ｄ．前記流体貯留要素および前記成形ブレードの前記ひだ付け縁部に対して成形ツールを相対移動させて、前記個々のシートを前記成形ツール中へ押し込むステップと、
ｅ．前記個々のシートの少なくとも一部を前記流体貯留要素に結合して、前記個々のシートの少なくとも一部を前記流体貯留要素から半径方向に遠ざかって延びることができる少なくとも１つの流体移送要素の状態に成形するステップと、
ｆ．前記少なくとも１つの流体移送要素を前記流体貯留要素の長手方向軸線に平行な軸線の周りに折り畳むステップと、
ｇ．結果的に得られた膣内器具を包装するステップと、
を含む、製造方法。
（１４）膣内器具を製造する装置において、
ａ．成形ツールであって、
ｉ．保持プレートであって、前記保持プレートの面に形成された複数個の真空ポートを有する、前記保持プレート、および、
ｉｉ．前記プレートに設けられた実質的に円形の孔であって、前記孔に連結されると共に前記孔から延びる複数個のスロットを有する、孔、
を備える、前記成形ツールと、
ｂ．複数個の成形ブレードを含む雄型ツールであって、各前記成形ブレードが孔の周りに放射状に配置された案内縁部を有する、前記雄型ツールと、
ｃ．前記成形ツールの前記孔に向かって動くことができる少なくとも１つの結合要素と、
ｄ．前記成形ツールおよび前記雄型ツールの各々の前記孔を通って動くことができる少なくとも１本のプッシュロッドと、
を具備し、
前記成形ツールの前記孔と前記雄型ツールの前記孔は、前記プッシュロッドが流体貯留要素を各孔を通して動かすことができるように、縦方向軸線に沿って位置合わせされ、
前記雄型ツールの前記成形ブレードは、前記成形ツールの前記スロットと位置合わせされ、
前記成形ブレードの前記案内縁部は、前記雄型ツールの前記孔と位置合わせされた流体貯留要素を受け入れるように配置されると共に構成されている、
装置。
（１５）実施態様（１４）記載の装置において、
各成形ブレードは、前記保持プレートの前記面上に保持されたシートに係合可能なひだ付け縁部を有する、装置。
【０１０４】
（１６）実施態様（１５）記載の装置において、
前記ひだ付け縁部は、前記案内縁部に隣接している、装置。
（１７）実施態様（１５）記載の装置において、
前記ひだ付け縁部は、前記成形ブレードの少なくとも１つの中間部分によって前記案内縁部から分離されている、装置。
（１８）実施態様（１４）記載の装置において、
前記少なくとも１つの結合要素は、前記保持プレートの前記面に平行な平面内で動くことができる、装置。
（１９）実施態様（１８）記載の装置において、
前記少なくとも１つの結合要素は、前記成形ツールおよび前記雄型ツールが係合位置にあるとき、隣り合う成形ブレード相互間の空間内に延びるよう動くことができる、装置。
（２０）実施態様（１４）記載の装置において、
前記少なくとも１つの結合要素は、熱結合要素（thermobonding element）である、装置。
【０１０５】
（２１）実施態様（１４）記載の装置において、
前記流体貯留要素は、長さを有し、
各成形ブレードの前記案内縁部は、前記流体貯留要素の前記長さ以下の長さを有する、
装置。
（２２）実施態様（１４）記載の装置において、
前記流体貯留要素は、長さを有し、
各成形ブレードの前記案内縁部は、前記流体貯留要素の前記長さよりも大きな長さを有する、
装置。
【図面の簡単な説明】
【０１０６】
【図１ａ】流体貯留要素と流体連通状態にある流体移送要素を有する膣内器具の側面図である。
【図１ｂ】ｂ−ｂ線に沿って取った図１ａの器具の断面図である。
【図１ｃ】流体収集要素のプレート相互間への流体の導入後における図１ｂに示す器具の横断面図である。
【図２ａ】本発明の膣内器具の一特徴および向きを示す図であり、タンポンであって、折り畳み状態のシート材料で形成された複数個の流体移送要素がタンポンから延びているタンポンの斜視図である。
【図２ｂ】本発明の膣内器具の別の特徴および向きを示す図であり、複数個の流体移送要素が流体貯留要素に巻き付けられている状態のタンポンの側面図である。
【図２ｃ】本発明の膣内器具の別の特徴および向きを示す図であり、図４ｂの４ｃ−４ｃ線矢視横断面図である。
【図２ｄ】本発明の膣内器具の別の特徴および向きを示す図であり、図４ａのタンポンの側面図である。
【図２ｅ】本発明の膣内器具の別の特徴および向きを示す図であり、図４ａのタンポンの平面図である。
【図３】貯留要素内に部分的に延びる１対の流体移送要素を備えた変形実施形態の横断面図である。
【図４ａ】カバー材料が流体貯留要素と流体連通状態にある流体移送要素を形成するよう袋の形態をしてそれ自体に結合された本発明の変形実施形態の側面図である。
【図４ｂ】４ｂ−４ｂ線に沿って取った図６ａの器具の断面図である。
【図５】流体移送要素が流体貯留要素を包囲し、取出し側端部のところで取り出しひもに結合された本発明の実施形態の側面図である。
【図６】流体移送要素が、流体貯留要素を包囲し、流体貯留要素のベースに結合された本発明の実施形態の側面図である。
【図７】流体移送要素が流体貯留要素の挿入側端部に取り付けられた本発明の実施形態の側面図である。
【図８】流体移送要素が流体貯留要素のベースに結合された本発明の実施形態の側面図である。
【図９】図８に示す実施形態の底面図である。
【図１０】流体移送要素が一連の整列した別々の結合部の状態で流体貯留要素の長手方向側部に結合された本発明の実施形態の側面図である。
【図１１】流体移送要素が結合部の別々のスポットを備えた少なくとも１つの取付けゾーンにおいて流体貯留要素の長手方向側部に結合された本発明の実施形態の側面図である。
【図１２】図１１に示す実施形態の一部の拡大図である。
【図１３】膣内器具を製造するのに有用な本発明の装置の概略斜視図である。
【図１４】流体移送要素の成形前における流体貯留要素およびシート状材料を含む図１５の装置の概略斜視図である。
【図１５】図１３の装置に有用な雄型ツールの拡大斜視図である。
【図１６】図２ｂの膣内器具が人体の膣内に配置され、１つの流体移送要素が流体貯留要素から遠ざかって延びている人体の膣の横断面図である。
【図１７】図２ｂの膣内器具が人体の膣内に配置され、流体移送要素が流体貯留要素に巻き付けられたままの状態にある人体の膣の横断面図である。
【図１８】アプリケータ器具包装要素内に収容された図２の器具を示す図である。
【図１ａ】
2007537018.tif 000004
【図１ｂ】
2007537018.tif 000005
【図１ｃ】
2007537018.tif 000006
【図２ａ】
2007537018.tif 000007
【図２ｂ】
2007537018.tif 000008
【図２ｃ】
2007537018.tif 000009
【図２ｄ】
2007537018.tif 000010
【図２ｅ】
2007537018.tif 000011
【図３】
2007537018.tif 000012
【図４ａ】
2007537018.tif 000013
【図４ｂ】
2007537018.tif 000014
【図５】
2007537018.tif 000015
【図６】
2007537018.tif 000016
【図７】
2007537018.tif 000017
【図８】
2007537018.tif 000018
【図９】
2007537018.tif 000019
【図１０】
2007537018.tif 000020
【図１１】
2007537018.tif 000021
【図１２】
2007537018.tif 000022
【図１３】
2007537018.tif 000023
【図１４】
2007537018.tif 000024
【図１５】
2007537018.tif 000025
【図１６】
2007537018.tif 000026
【図１７】
2007537018.tif 000027
【図１８】
2007537018.tif 000028
【国際調査報告】
2007537018.tif 000029
2007537018.tif 000030
2007537018.tif 000031
2007537018.tif 000032